(57)【要約】　　　（修正有）【課題】農業用及び工業用水路及び排水路、並びに一般土木用水路及び排水路に用いることができるＵ字溝において、左右の側壁部の上部が種々の方向から作用する土圧に対してより高い剛性を有するＵ字溝の提供。【解決手段】凹条部４及び凸条部５を交互に溝の長手方向に連続形成することにより、波形に成形された硬質合成樹脂又は繊維強化樹脂からなるＵ字溝１において、前記凹条部４及び凸条部５はＵ字溝１の底壁部２から左右の側壁部３の上端まで実質連続して形成されるとともに、該左右の側壁部３の上端において、前記凹条部４を塞ぎかつさらに外方に延長された補強壁６が、溝の長手方向に連続形成されていることを特徴とするＵ字溝１。【選択図】図１
2004137882.tif 000002
【特許請求の範囲】
【請求項１】
硬質合成樹脂又は繊維強化樹脂からなるＵ字溝であって、凹条部及び凸条部を交互に溝の長手方向に連続形成することにより、波形に成形されたＵ字溝において、
　前記凹条部及び凸条部はＵ字溝の底壁部から左右の側壁部の上端まで実質連続して形成されるとともに、該左右の側壁部の上端において前記凹条部を塞ぎかつ凸条部の頂きよりもさらに外方に延長された補強壁が、溝の長手方向に連続形成されていることを特徴とするＵ字溝。
【請求項２】
前記補強壁は、その上面に、溝の長手方向に延びる突条部を形成してなることを特徴とする請求項１記載のＵ字溝。
【請求項３】
前記補強壁の幅は、前記凹条部の底と前記凸条部の頂きとの間隔よりも長く、該間隔の５倍までの長さを有することを特徴とする請求項１記載のＵ字溝。
【請求項４】
前記左右の側壁部は、外方に突出する膨出部を設けてなることを特徴とする請求項１記載のＵ字溝。
【発明の詳細な説明】
【技術分野】
【０００１】
　本発明は、農業用及び工業用水路及び排水路、並びに一般土木用水路及び排水路に用いることができるＵ字溝に関する。
【背景技術】
【０００２】
　山野の土木開発現場並びに一般道路の側溝排水路として、従来コンクリート製のＵ字溝が用いられてきたが、近年、コンクリート製のＵ字溝に代えて、合成樹脂製のＵ字溝が用いられるに至っている。この合成樹脂製のＵ字溝は、従来のコンクリート製のＵ字溝よりも軽量である為、輸送面や施工面で取扱いが容易であるが、コンクリート製のものと比較して、一般に剛性が低い為、特に側壁部外から大きな土圧がかかった場合には、側壁部が内側に折れこんで変形しやすくなるという問題があった。そこで従来、Ｕ字溝の最も弱い部分であるＵ字溝上部において、Ｕ字溝の両側壁部を架け渡す補強材を幅方向に適当な箇所取付ける他、Ｕ字溝の底壁部から側壁部を波形もしくは類似の凹凸形状に成形することにより、合成樹脂製Ｕ字溝の側壁部への土圧に対して剛性を向上させる工夫がなされてきた。
【０００３】
　かような改良技術は、例えば、特許第３０６５５６２号公報に示されている。同公報には、樹脂材から成り、流体通路を形成すべく、底壁部と両側壁部とが一体に成形されて断面Ｕ字状に設けられると共に、剛性を向上させるべく前記底壁部と両側壁部とに長手方向に直交する方向に延びる多数の凹条及び凸条が形成されるよう、波形に成形されたＵ字溝において、前記凹条及び凸条が前記両側壁部の各上端まで形成されると共に、該両側壁部の各上端で該側壁部と一体に成形されて前記凹条を埋める隔壁部を具備することを特徴とするＵ字溝が開示されている。
【特許文献１】特許第３０６５５６２号公報
【発明の開示】
【発明が解決しようとする課題】
【０００４】
　しかしながら、特許第３０６５５６２号公報が開示しているＵ字溝において、各隔壁部は個々に凹条を埋めている要素である。すなわち、隔壁部は各々独立して存在しているものであって、相互に接合されて連続壁を形成するものでもない。その為、Ｕ字溝の側壁部の上部について剛性面の改良が十分であるとは言い難く、とりわけ側壁部に対して側方の土壌よりねじれ応力や局部的な応力が負荷されたときなどにおいて側壁部が歪んだり、変形したりしてしまう恐れがある。
　したがって、Ｕ字溝の左右の側壁部、特に上部について側方からの土圧に対して十分耐え得るより高い剛性を有するＵ字溝の提供が課題とされていた。
【課題を解決するための手段】
【０００５】
　本発明は上記課題を解決する為になされたものであって、凹条部及び凸条部を交互に溝の長手方向に連続形成することにより、波形に成形された硬質合成樹脂又は繊維強化樹脂からなるＵ字溝において、前記凹条部及び凸条部はＵ字溝の底壁部から左右の側壁部の上端まで実質連続して形成されるとともに、該左右の側壁部の上端において、前記凹条部を塞ぎかつ凸条部の頂きよりもさらに外方に延長された補強壁が、溝の長手方向に連続形成されていることを特徴とするＵ字溝に関する。本発明の好ましい態様は、前記Ｕ字溝において、補強壁はその上面に、溝の長手方向に延びる突条部を形成してなる。本発明においてさらに好ましくは、前記補強壁の幅は、前記凹条部の底と前記凸条部の頂きとの間隔よりも長く、該間隔の５倍までの長さを有する。本発明の他のさらなる好ましい態様は、前記左右の側壁部は、外方に突出する膨出部を設けてなることを特徴とするＵ字溝である。
【発明の効果】
【０００６】
　本発明のＵ字溝は、側壁部の上端において、凹条部を塞ぎかつ凸条部の頂きよりもさらに外方に延長された補強壁が、溝の長手方向に連続形成され、さらに好ましくは補強壁の上面には溝の長手方向に延びる突条部を形成してなる。したがって特に特許３０６５５６２号に開示されているＵ字溝等と比較して、本発明のＵ字溝は、側壁部の特に上端付近について剛性が著しく改良され、よって埋設の際、その側方の土壌により負荷される各種応力（ねじれ応力、局部的な応力など）に対して歪みや変形が極めて生じにくいという効果を奏する。
【発明を実施するための最良の形態】
【０００７】
　本発明における硬質合成樹脂又は繊維強化樹脂からなるＵ字溝は、剛性向上の為に、凹条部及び凸条部を交互に溝の長手方向に連続形成することにより波形に成形され、さらに前記凹条部及び凸条部は、Ｕ字溝の底壁部から左右の側壁部の上端まで実質連続して形成されている。なお、前記凹条部及び凸条部は、Ｕ字溝の底壁部よりの左右の側壁部の上端まで連続形成される場合の他、部分的に不連続ないしは断続的に形成されていてもよい。そしてＵ字溝の左右の側壁部の上端においては、凹条部を塞ぎかつ凸条部の頂きよりもさらに外方に延長された補強壁がＵ字溝の長手方向に連続形成されている。この補強壁によって凹条部は完全に塞がれると共に、それら部分が相互に接合されて、長手方向に連続する壁が形成されている為、凹条部が各々個々に塞がれた構造と比較して、Ｕ字溝の左右の側壁部の上部がねじれ変形、局部変形を受けにくく、側方からの土圧により湾曲してしまうおそれが少ない。前記補強壁の幅は、凹条部の底と凸条部の頂きとの間隔よりも長く、該間隔の５倍までの長さを有することが好ましい。凹条部の底と凸条部の頂きとの間隔よりも短いと、凹条部を完全に塞ぎかつ連続した壁を形成することができず、目的とする剛性向上効果が達成できない。前記間隔の５倍以上になると剛性が殆ど上昇せず、また生産コストが上がり、好ましくない。本発明における補強壁は、凹条部及び凸条部が左右の側壁部において内方へと絞り成形されてなるＵ字溝において形成されることもできる。この場合、Ｕ字溝の左右の側壁部の上部は全体として外方から内方へ絞り込まれた形状をとるが、これによって、Ｕ字溝の左右の側壁部の上部にかかる種々の方向からの土圧に対しての剛性が高まると同時に、前記側壁部の上部よりも下部の方が外方に広がる構造をとる為、埋設された際にはＵ字溝の浮上防止効果も高い。そしてさらに前記補強壁の上面には、突条部がＵ字溝の長手方向に延設されることによって、左右の側壁部の上部にはより一層の剛性が向上されるので大変好ましい態様である。前記突条部は、補強壁がその外方の辺縁よりそのまま上方に垂直に立ち上がって形成されても良いし、単なる突起状であっても良い。またその補強壁からの高さに制限は特にない。
　本発明のＵ字溝においては、Ｕ字溝の剛性を向上させることができる補強材を長手方向に沿って取り付けが可能であると共に、左右の側壁部の上部間に横架、固定する為の架け渡し材を取り付けることもでき、これらの例として略Ｌ字形、略Ｔ字形又は略十字形の横断面を有する架け渡し材が挙げられる。これら架け渡し材は、その両端をＵ字溝の左右の側壁部に嵌め止めることによりＵ字溝に固定され得る。例えば、横断面略Ｌ字形の架け渡し材を取り付ける場合、Ｕ字溝の左右の側壁部の上部に、該架け渡し材の両端の形状に対応した略Ｌ字形の架け渡し材受け部をあらかじめ成形しておき、施工時に前記架け渡し材の両端を各々の該受け部に嵌め込むことにより、前記架け渡し材はＵ字溝に容易に固定され得る。また、架け渡し材の本発明のＵ字溝への他の固定法としては、架け渡し材がＵ字溝の左右の補強壁上でリベットにより鋲着される態様が挙げられる。この場合、それぞれの架け渡し材の両端はリベットを通す為の孔を設け、Ｕ字溝の左右の側壁部間に組み付けられるよう、切り欠かれていることが必要である。これら架け渡し材をＵ字溝に取り付けることにより、Ｕ字溝の左右の側壁部の上部に対してより一層の剛性が付与されるなど好ましい効果が得られる。
　さらにまた本発明のＵ字溝は、左右の側壁部に、外方に突出する膨出部を設けることが
できる。これにより、さらなる剛性をＵ字溝に付与できるだけでなく、この膨出部には、Ｕ字溝の埋設の際に土砂が堆積してその荷重がかかる為、Ｕ字溝をより効果的に固定し、地下水位の上昇によるＵ字溝の浮上防止に役立つ。
　本発明のＵ字溝の材質としては、ポリエチレン樹脂、ポリ塩化ビニル、ポリプロピレン、ポリエチレンテレフタレート、ポリアミド、ポリフェニレンスルフィド等の硬質合成樹脂、並びにＦＲＰ、ＦＲＴＰ等の繊維強化樹脂が望ましい。Ｕ字溝本体の形状としては、本来のＵ字形の他、壁底部から垂直に立ち上がった形状、上部に向けてやや外開きに立ち上がった形状をとってもよい。本発明のＵ字溝はブロー成形、回転成形等により成形できる。
【実施例】
【０００８】
　図面を参照して本発明をさらに詳しく説明する。以下の実施例は本発明を限定することを目的とするものではない。
【０００９】
実施例1.
　本発明のＵ字溝の一態様を図１に示す。図１は本実施例のＵ字溝１を示す斜視図であり、図２はＵ字溝１の平面図である。Ｕ字溝１は、底壁部２から左右の側壁部３の上部へと延びる凹条部４及び凸条部５が交互に溝の長手方向に連続形成することにより波形に成形され、さらに前記凹条部４及び凸条部５はＵ字溝の底壁部２から左右の側壁部３の上端２２まで連続して形成されている。ここで、前記凹条部４及び凸条部５は千鳥状等の断続する形状をとっても差し支えない。そして前記左右の側壁部３の上端２２においては、補強壁６が、凹条部４の底２３まで内方に延びて前記凹条部４を塞ぎ、かつ凸条部５の頂き２４よりもさらに外方に延びた壁であって、Ｕ字溝１の長手方向に連続形成されている。本実施例においては、補強壁６の幅は、凹条部４の底２３と凸条部５の頂き２４との間隔の２倍になるよう成形されている。そして補強壁６の上面の外方の辺縁には、Ｕ字溝１の長手方向に突条部７が連続形成される形状をとっている。これら補強壁６の存在により、左右の側壁部３の特に上部にはさらなる剛性が向上され、さらに突条部７の形成により補強壁６それ自体の剛性も向上され、埋設された際に周囲の土圧に対する耐性が高まる。本実施例において、上述したように突条部７は補強壁６の外方の辺縁から立上がってＵ字溝１の長手方向に連続形成される構造をとっているが、補強壁６の上面のほぼ中央部から立上がってＵ字溝１の長手方向に連続形成される構造をとっても良いし、補強壁６の内方の辺縁より立上がってＵ字溝１の長手方向に連続形成される構造をとっても構わない。また本実施例では、Ｕ字溝１は左右の側壁部３が底壁部２に対して外方に広がるような構造をとっている。この為、側壁部３に作用する土圧を分散し、側壁部３の変形を防止している。もちろん、Ｕ字溝は左右の側壁部が底壁部に対し直立するような構造のものでもよい。
【図面の簡単な説明】
【００１０】
【図１】本発明の実施例のＵ字溝を示す斜視図である。
【図２】本発明の実施例のＵ字溝を示す平面図である。
【符号の説明】
【００１１】
　１　Ｕ字溝　　２　底壁部　　３　側壁部　　４　凹条部　　５　凸条部
　６　補強壁　　７　突条部　２２　側壁部の上端　２３　凹条部の底
　２４　凸条部の頂き
【図１】
2004137882.tif 000003
【図２】
2004137882.tif 000004